(57)【特許請求の範囲】
【請求項１】
取付部材に対し、ボルトと雌ネジ部とのねじ込み作用を利用した締結手段を用いて導通可能に取り付けられる端子金具であって、
前記ボルトを貫通させるための取付孔を有する端子本体部と、
前記端子本体部の外周縁から、前記取付孔を中心とする径方向に延出した形態の電線接続部と、
前記取付孔の中心から径方向に離間した位置に配された規制部とを備え、
前記規制部をストッパに当接させることにより、前記締結手段の締結動作に伴う連れ回りが規制されるようになっている端子金具において、
前記規制部は、前記端子本体部から前記電線接続部に向かう方向において、前記取付孔よりも前記電線接続部側の位置に配され、
また、前記規制部は、前記電線接続部の一側縁において前記端子本体部から前記電線接続部に向かう方向に対して略直角にかつ板状をなして突出するとともに、その突出端縁から前記電線接続部側へ向けて鋭角をなして斜めに折り返し状に屈曲された形態をなし、
前記規制部の側縁には、前記取付部材に取り付けるときに前記締結手段から付与される回転力の回転方向前方に位置する第１の前記ストッパに当接可能な第１当接部が形成され、
前記規制部において前記斜めに折り返し状に屈曲された部分の先端縁には、前記取付部材から外すときに前記締結手段から付与される回転力の回転方向前方に位置しかつ前記第１の前記ストッパとは直角な位置関係にある第２の前記ストッパに当接可能な第２当接部が形成されていることを特徴とする端子金具。
【発明の詳細な説明】
【技術分野】
【０００１】
本発明は、端子金具に関するものである。
【背景技術】
【０００２】
特許文献１には、取付部材に対しボルトを用いて導通可能に取り付けられる端子金具が開示されている。この端子金具は、ボルトを貫通させるための取付孔を有する端子本体部と、端子本体部の外周縁から延出した形態の電線接続部と、取付孔に対して径方向に離間した位置に配された規制部とを備えている。端子金具を取り付ける際には、ボルトを取付孔に貫通させて端子本体部を取付部材に載置し、ボルトに螺合したナットを締め付けるようになっている。
【０００３】
このとき、端子本体部の表面とナットの間に生じる摩擦抵抗のために、端子金具が連れ回りする虞があるため、規制部を、取付部材側に設けたストッパに当接させることにより、端子金具の連れ回りを規制するようになっている。
【特許文献１】特開平０８−０９６８６６号公報
【発明の開示】
【発明が解決しようとする課題】
【０００４】
上記従来の端子金具では、規制部が、取付孔の中心を挟んで対称に配置されており、端子金具が連れ回りするときの回転中心（即ち、取付孔の中心）から規制部までの距離が比較的短い。ここで、端子金具に付与される回転トルクは、規制部を介してストッパで受け止められることから、ストッパには、規制部からの大きな押圧力が作用することになる。そのため、ストッパとして、剛性の高い材料の物を用意する必要がある。一般に、剛性の高い材料は、重量が重くなることから、軽量化が求められる環境下では、好ましくない。
本発明は上記のような事情に基づいて完成されたものであって、剛性の低い材料からなるストッパによって端子金具の連れ回りを規制できるようにすることを目的とする。
【課題を解決するための手段】
【０００５】
上記の目的を達成するための手段として、請求項１の発明は、取付部材に対し、ボルトと雌ネジ部とのねじ込み作用を利用した締結手段を用いて導通可能に取り付けられる端子金具であって、前記ボルトを貫通させるための取付孔を有する端子本体部と、前記端子本体部の外周縁から、前記取付孔を中心とする径方向に延出した形態の電線接続部と、前記取付孔の中心から径方向に離間した位置に配された規制部とを備え、前記規制部をストッパに当接させることにより、前記締結手段の締結動作に伴う連れ回りが規制されるようになっている端子金具において、前記規制部は、前記端子本体部から前記電線接続部に向かう方向において、前記取付孔よりも前記電線接続部側の位置に配され、また、前記規制部は、前記電線接続部の一側縁において前記端子本体部から前記電線接続部に向かう方向に対して略直角にかつ板状をなして突出するとともに、その突出端縁から前記電線接続部側へ向けて鋭角をなして斜めに折り返し状に屈曲された形態をなし、前記規制部の側縁には、前記取付部材に取り付けるときに前記締結手段から付与される回転力の回転方向前方に位置する第１の前記ストッパに当接可能な第１当接部が形成され、前記規制部において前記斜めに折り返し状に屈曲された部分の先端縁には、前記取付部材から外すときに前記締結手段から付与される回転力の回転方向前方に位置しかつ前記第１の前記ストッパとは直角な位置関係にある第２の前記ストッパに当接可能な第２当接部が形成されているところに特徴を有する。
【発明の効果】
【０００８】
＜請求項１の発明＞
規制部が取付孔の中心を挟んで対称に配置されている端子金具では、端子本体部から電線接続部に向かう方向における規制部と取付孔との間の距離が短いのに対し、本願発明では、端子本体部から電線接続部に向かう方向において、規制部と取付孔との間の距離が長く確保される。したがって、端子金具が取付孔を中心として連れ回りしようとするときに、規制部からストッパに作用する回転方向の押圧力は、比較的小さくて済み、ストッパに要求される剛性が低くて済む。これにより、剛性の低い材料からなるストッパによって端子金具の連れ回りを規制することができる。
また、１つの規制部によって、端子金具を取付部材に取り付けるときの連れ回り動作と、端子金具を取付部材から外すときの連れ回り動作の両動作を規制できるので、形状の簡素化を図ることができる。
さらに、規制部は、その突出方向と交差する方向にストッパに当接するので、規制部は、ストッパとの当接によって座屈変形を来す虞がない。
【発明を実施するための最良の形態】
【００１２】
＜実施形態１＞
以下、本発明を具体化した実施形態１を図１乃至図４を参照して説明する。本実施形態の端子金具１０は、金属製の取付部材３０に対し、ボルト３６とナット３７とを備えた締結手段３５によって電気的導通可能に取り付けられるようになっている。取付部材３０の上面のうち後端縁（図１における左下方から右上方に延びる縁部）に沿った領域は、端子金具１０を導通可能に接続させるための取付面３１となっている。ボルト３６は、取付部材３０に埋設されたスタッドボルトと称されるものであって、取付面３１から上方へ突出した形態で固定されている。
【００１３】
取付部材３０の後端面（図１において斜め右下方に臨む面）における上端部（上下方向において取付面３１よりも僅かに低い部分）には第１ストッパ３２が形成されている。第１ストッパ３２は、前後方向（図１における左上方から右下方に延びる線と平行な方向）においてボルト３６よりも後方（図１における斜め右方）に位置し、左右方向においてボルト３６よりも左方（図１における斜め左下方）に位置している。
【００１４】
また。取付部材３０には、その後端面における第１ストッパ３２よりも右方の領域を後方へ突出させた形態の張出部３３が形成されている。張出部３３は、その上面を取付面３１に対して面一状に連続させた形態であり、張出部３３の左側面における上端部（上下方向において取付面３１よりも僅かに低い部分）には第２ストッパ３４が形成されている。第２ストッパ３４は、前後方向においてボルト３６及び第１ストッパ３２よりも後方に位置し、左右方向においてはボルト３６よりも左方で且つ第１ストッパ３２よりも右方に位置している。また、第１ストッパ３２は後方に面しているのに対し、第２ストッパ３４は、左方、即ち第１ストッパ３２に対して直角な方向に面している。
【００１５】
次に、端子金具１０について説明する。端子金具１０は、所定形状に打ち抜いた金属板材を曲げ加工したものであり、端子本体部１１と、端子本体部１１から延出する電線接続部１２と、規制部１３とが一体に形成されている。
【００１６】
端子本体部１１は、略円形をなす水平な平板状をなし、その中央には同心円形の取付孔１４が上下方向に貫通して形成されている。取付孔１４の内径は、ボルト３６の外径と同じか、それよりも僅かに大きい寸法である。
【００１７】
電線接続部１２は、端子本体部１１の外周縁から、取付孔１４を中心とする径方向に延出されており、延出部１５と圧着部１６とから構成されている。  
延出部１５は、水平な板状をなし、その前端部は、端子本体部１１の外周縁における後端部領域に対して面一状に連なる第１板部１７となっている。この第１板部１７の幅寸法は、端子本体部１１の外径よりも少し小さい寸法となっている。延出部１５には、第１板部１７から面一状に斜め右後方へ延出する第２板部１８が形成されており、したがって、延出部１５は屈曲した形態となっている。第２板部１８の延出方向と直角な幅寸法は第１板部１７とほぼ同じ寸法である。また、延出部１５には、第１板部１７の後端部から第２板部１８の後端に亘り、下方へ叩き出すことによって補強部１９が形成されている。
【００１８】
電線接続部１２を構成する圧着部１６は、第２板部１８の後端から下方へ略直角に延出した形態であり、第２板部１８に連なる基板２０と、基板２０の両側縁から斜め右後方へ延出する上下二対のカシメ片２１，２２とを備えた周知のオープンバレル状をなす。圧着部１６には、電線（図示せず）の上端部が、カシメ片２１，２２を縮径変形させることにより電気的導通可能に接続されている。電線が接続された状態では、上側の対をなすカシメ片２１が、電線の絶縁被覆を剥いて露出させた芯線に対して包囲するように固着され、下側の対をなすカシメ片２２が、電線の絶縁被覆で覆われている部分に対して包囲するように固着されている。端子金具１０を取付部材３０に取り付けた状態において、電線のうち圧着部１６に接続された部分の軸線（筒状にカシメ変形された圧着部１６の中心軸）は、上下方向、即ちボルト３６の軸線と平行な方向を向く。
【００１９】
規制部１３は、電線接続部１２を構成する第１板部１７の左側縁から左方へ突出した形態であって、規制部１３の突出端（左端）は、端子本体部１１の左端よりも左方に位置している。また、規制部１３は、前後方向においては取付孔１４の後端よりも更に後方に位置し、左右方向においては取付孔１４の左端よりも更に左方に位置している。規制部１３は、板状突出部２３と板状屈曲部２４とから構成される。
【００２０】
板状突出部２３は、第１板部１７に対して面一状、即ち水平に延出し、左右方向の寸法よりも前後方向の寸法が大きい方形をなす。板状屈曲部２４は、板状突出部２３の突出端縁（左端縁）から斜め下右方へ約４５°の角度で延出した形態（換言すると、取付面３１側へ屈曲させた形態）である。板状屈曲部２４の前後寸法は、板状突出部２３の前後寸法と同じであって、板状突出部２３の前面は板状屈曲部２４の前面に対して面一状に連なっており、板状突出部２３と板状屈曲部２４の前面は、第１当接部２５となっている（図１を参照）。この第１当接部２５は、前後方向においては取付孔１４の後端よりも更に後方に位置し、左右方向においては取付孔１４の左端よりも更に左方に位置している。
【００２１】
板状屈曲部２４の下端縁（延出端縁）は、前後方向に細長い形態の第２当接部２６となっている。この第２当接部２６は、第１当接部２５に対して直角をなす。また、第２当接部２６も、第１当接部２５と同様、前後方向においては取付孔１４の後端よりも更に後方に位置し、左右方向においては取付孔１４の左端よりも更に左方に位置している。
【００２２】
次に、本実施形態の作用を説明する。  
端子金具１０を取付部材３０に取り付ける際には、取付孔１４にボルト３６を貫通させるとともに、規制部１３を第１ストッパ３２及び第２ストッパ３４に面する空間内に収容させながら、端子本体部１１を取付面３１に載置する。このとき、電線接続部１２は取付面３１よりも後方へ突出した状態となる。また、規制部１３の第１当接部２５が第１ストッパ３２に対して後方から接近して対向するとともに、第２当接部２６が第２ストッパ３４に対して左方から接近して対向する。
【００２３】
次に、ボルト３６にナット３７の雌ネジ部３８をねじ込む。ねじ込みを進めていくと、ナット３７の下面が端子本体部１１の上面に当接するのであるが、この状態から更にナット３７を締め付ける。すると、ナット３７の下面と端子本体部１１の上面との間の摩擦抵抗により、端子金具１０が、取付孔１４（ボルト３６）を中心として図１における時計回り方向へ連れ回りしようとする。すると、第１当接部２５が、前方へ僅かに変位したところで第１ストッパ３２に対して後方から当接し、この当接作用により端子金具１０の時計回り方向への連れ回りが規制される。尚、第１当接部２５と第１ストッパ３２とが当接し合う面は、取付孔１４を中心とする円周方向（端子金具１０の連れ回り方向）に対して斜め方向の面となっている。
【００２４】
このとき、ナット３７の緩みを防止するために、ナット３７にはボルト３６（取付孔１４）を中心とする所定の大きさの締付けトルクが付与され、この締付けトルクは、端子金具１０を介して第１ストッパ３２に作用する。この締付けトルクによって第１当接部２５から第１ストッパ３２に作用する回転方向の押圧力は、ボルト３６（回転中心）から第１当接部２５（作用点）までの距離が長いほど小さくなる。
【００２５】
この点を考慮し、本実施形態では、第１当接部２５（規制部１３）を、端子本体部１１から電線接続部１２に向かう略前後方向において、取付孔１４よりも電線接続部１２側の位置（取付孔１４よりも後方の位置）に配した。この本実施形態の第１当接部２５の位置は、端子本体部１１から電線接続部１２に向かう略前後方向において取付孔１４と同じ位置である場合に比べると、ボルト３６（第１ストッパ３２に作用する締付けトルクの中心）から遠くなる。したがって、第１当接部２５から第１ストッパ３２に作用する押圧力は、比較的小さくて済んでいる。
【００２６】
また、端子金具１０を取付部材３０から外す際には、ナット３７に所定の締付けトルクを付与してナット３７を取付け時とは反対方向へ回転させる。このとき、端子金具１０とナット３７との間の摩擦抵抗により、端子金具１０は、反時計回り方向へ連れ回りしようとする。すると、第２当接部２６が、右方へ僅かに変位したところで第２ストッパ３４に対して左方から当接し、この当接作用により端子金具１０の反時計回り方向への連れ回りが規制される。尚、第２ストッパ３４における第２当接部２６の当接面は、取付孔１４を中心とする円周方向（端子金具１０の連れ回り方向）に対して斜め方向の面となっている。
【００２７】
このときも、取付け時と同様、第２ストッパ３４には第２当接部２６からの押圧力が作用するのであるが、第２当接部２６は、第１当接部２５と同じく、ボルト３６（第２ストッパ３４に作用する締付けトルクの中心）から遠い位置に配置されているので、第２当接部２６から第２ストッパ３４に作用する押圧力は、比較的小さくて済んでいる。
【００２８】
上述のように本実施形態においては、規制部１３を、端子本体部１１から電線接続部１２に向かう方向において、取付孔１４よりも電線接続部１２側の位置に配し、端子金具１０が取付孔１４を中心として連れ回りしようとするときには、規制部１３からストッパ３２，３４に作用する回転方向の押圧力が、比較的小さく抑えられるようにしている。これにより、ストッパ３２，３４に要求される剛性が低くて済み、ストッパ３２，３４が、剛性の低い材料（例えば、合成樹脂）からなるものであったり、剛性の低い形態（例えば、薄い板状のもの）のものである場合であっても、ストッパ３２，３４によって端子金具１０の連れ回りを確実に規制することができる。
【００２９】
また、規制部１３には、端子金具１０を取付部材３０に取り付けるとき締結手段３５から付与される回転力の回転方向前方に位置する第１ストッパ３２に対して当接可能な第１当接部２５と、端子金具１０を取付部材３０から外すときに締結手段３５から付与される回転力の回転方向前方に位置する第２ストッパ３４に対して当接可能な第２当接部２６とを設けている。このように、１つの規制部１３によって、端子金具１０を取付部材３０に取り付けるときの連れ回り動作と、端子金具１０を取付部材３０から外すときの連れ回り動作の両動作を規制できるので、端子金具１０の形状の簡素化を図ることができる。
【００３０】
また、規制部１３は、端子本体部１１から電線接続部１２に向かう前後方向に対して略直角に突出した形態であって、規制部１３の突出方向に沿った（側縁部）第１当接部２５が第１ストッパ３２に当接するようになっている。このように、規制部１３の第１当接部２５は、第１ストッパ３２に対して規制部１３の突出方向と交差する方向に当接するようになっているので、規制部１３は、第１ストッパ３２との当接によって座屈変形を来す虞がない。
【００３１】
＜他の実施形態＞
本発明は上記記述及び図面によって説明した実施形態に限定されるものではなく、例えば次のような実施態様も本発明の技術的範囲に含まれる。 
（１）上記実施形態では規制部を１つだけとしたが、規制部の数は２以上であってもよい。 
（２）上記実施形態では規制部の屈曲角度を約４５°としたが、規制部の屈曲角度は４５°より大きい角度でもよく、４５°より小さい角度でもよい。 
（３）上記実施形態では規制部を取付面側へ屈曲させた形態としたが、規制部は、取付面とは反対側へ屈曲させた形態であってもよい。 
（４）上記実施形態では規制部におけるストッパへの当接部の当接面を取付孔を中心とする円周方向に対して斜め方向としたが、当接面は、取付孔を中心とする円周方向と直角な面（即ち、径方向に沿った面）であってもよい。 
（５）上記実施形態では取付部と電線接続部との間の延出部を屈曲した形態としたが、延出部は直線状に延出する形態であってもよい。 
（６）上記実施形態では電線接続部に接続された電線の軸線方向が取付孔に貫通されるボルトの軸線と略平行をなすようになっているが、電線接続部に接続された電線の軸線方向が取付孔に貫通されるボルトの軸線と略直角をなすようにしてもよい。 
（７）上記実施形態では、取付孔に貫通されるボルトが、取付部材に立設したスタッドボルトである場合について説明したが、本発明は、取付孔に貫通されるボルトが、取付部材に形成した雌ねじ孔に螺合される頭部付きのボルトである場合にも適用できる。
【図面の簡単な説明】
【００３２】
【図１】実施形態１において端子金具を取付部材に取り付けた状態をあらわす平面図
【図２】端子金具の側面図
【図３】端子金具の斜視図
【図４】図１のＸ−Ｘ線断面図
【符号の説明】
【００３３】
１０…端子金具
１１…端子本体部
１２…電線接続部
１３…規制部
１４…取付孔
２５…第１当接部
２６…第２当接部
３０…取付部材
３２…第１ストッパ
３４…第２ストッパ
３５…締結手段
３６…ボルト
３８…雌ネジ部
【図１】
0005109772.tif 000002
【図２】
0005109772.tif 000003
【図３】
0005109772.tif 000004
【図４】
0005109772.tif 000005